(57)【要約】  作業者が安全に目立て作業を行うことができる小型の目立て機を得る。図１（ｂ）に示されるように、図におけるカバー（１）における左側上面には、前後方向に細長いスリット（１３１）が設けられ、上方から見て、このスリット（１３１）を通して砥石（１０）の回転軸（１１）よりも左側の部分が露出する。この際、カバー取り付け穴（１３３）は図中左右方向に細長く形成されるため、図中の左右方向におけるカバー（１３）の筐体（１２）に対する取り付け位置を調整することが可能である。このため、砥石（１０）に対するスリット（１３１）の図１における左右方向（長手方向と交差する方向）における位置を調整することができ、スリット（１３１）の直下となる砥石（１０）の領域を調整することができる。
2015083647.tif 000002
【特許請求の範囲】
【請求項１】
刃具を砥石とを摺り合わせることによって前記刃具の目立て作業を行う目立て機であって、回転軸に装着された前記砥石が回転可能に設置されて設けられた筐体と、前記筐体において前記砥石が設置された側を覆うように前記筐体の上側に装着され、前記砥石の一部を露出させるスリットが形成されたカバーと、を具備し、前記回転軸の回転運動を制動する制動機構、又は前記回転軸を回転させる駆動機構を具備することを特徴とする目立て機。
【請求項２】
前記スリットの長手方向と交差する方向における前記カバーの前記筐体に対する取り付け位置が可変とされたことを特徴とする請求項１に記載の目立て機。
【請求項３】
前記スリットの長手方向における一方の側における前記カバーの表面には、保護カバー係止部が設けられたことを特徴とする請求項１又は２に記載の目立て機。
【請求項４】
前記保護カバー係止部は凹部を具備することを特徴とする請求項３に記載の目立て機。
【請求項５】
前記保護カバー係止部において、前記スリットの長手方向に沿って複数の前記凹部が形成されたことを特徴とする請求項４に記載の目立て機。
【請求項６】
前記スリットの長手方向における一方の側における前記カバーには、前記長手方向と垂直な方向における前記スリットの両側の各々において、前記カバーの表面から突出した保護カバー保持部が設けられたことを特徴とする請求項１から請求項５までのいずれか１項に記載の目立て機。
【請求項７】
２つの前記保護カバー保持部の前記カバーに対する前記長手方向と垂直な方向における取り付け位置が可変とされたことを特徴とする請求項６に記載の目立て機。
【請求項８】
前記スリットは、前記カバーにおける前記回転軸と交差する方向の面に形成されたことを特徴とする請求項１から請求項７までのいずれか１項に記載の目立て機。
【請求項９】
前記筐体又は前記カバーに固定され、前記筐体が地面に設置された際に前記筐体から離間した位置で接地するスタンドを具備することを特徴とする請求項１から請求項８までのいずれか１項に記載の目立て機。
【請求項１０】
前記制動機構を具備し、前記制動機構は、前記回転軸の回転速度の上昇に伴って、前記回転軸の回転運動を、前記筐体に固定されたクラッチドラムに伝達する遠心クラッチを具備することを特徴とする請求項１から請求項９までのいずれか１項に記載の目立て機。
【請求項１１】
前記駆動機構を具備し、前記駆動機構は、モータによって前記回転軸を回転させることを特徴とする請求項１から請求項９までのいずれか１項に記載の目立て機。
【請求項１２】
前記駆動機構を具備し、前記駆動機構は、外部から回転運動が伝達されると共に前記回転軸に動力を伝達する動力伝達軸を具備することを特徴とする請求項１から請求項９までのいずれか１項に記載の目立て機。
【請求項１３】
前記動力伝達軸と前記回転軸とは平行とされたことを特徴とする請求項１２に記載の目立て機。
【請求項１４】
前記砥石が円板形状とされたことを特徴とする請求項１から請求項１３までのいずれか１項に記載の目立て機。
【請求項１５】
前記回転軸は、前記カバーの前記スリットが形成された面と略平行に設置されることを特徴とする請求項１から請求項１４までのいずれか１項に記載の目立て機。
【発明の詳細な説明】
【技術分野】
【０００１】本発明は、ダイヤモンドカッターの刃等の目立て作業を行う目立て機に関する。
【背景技術】
【０００２】切断工具に用いられる刃具（ダイヤモンドカッターの刃等）が繰り返して使用された際には、次第に刃具の刃先あるいはこれを構成する粒子が摩耗する、あるいは目詰まりすることによって、所望の切断性能を得ることが困難となる。こうした場合には、再び切断性能を向上させるために、目立て作業が行われる。【０００３】例えば、ダイヤモンダカッターの刃（刃具）を目立てする場合には、目立てされるべき刃を用いてコンクリートブロックやレンガ等を切断するという作業が行われている。また、こうした作業を行うために用いられる専用の目立て機としては、例えば特許文献１に記載されている。特許文献１に記載の目立て機においては、表面が目立て作業に最適なように加工された円筒形状の部材が、その中心軸の回りで回転可能に設けられている。【０００４】また、目立てされる刃具の種類、材料、形状に応じて、こうした目立て機の形態としては、各種のものが用いられている。
【先行技術文献】
【特許文献】
【０００５】
【特許文献１】特開平９−２１６１５９号公報
【発明の概要】
【発明が解決しようとする課題】
【０００６】特許文献１に記載の目立て機を始め、従来の目立て機は大型であり、通常は特定の場所に設置・固定されて用いられていた。このため、作業者は、目立て作業の度に、目立てされるべき刃具、あるいはこの刃具が用いられるカッター等をこの場所まで運び、ここで目立て作業が行われていた。このため、作業効率が悪くなった。【０００７】このため、作業者が携帯できる小型の目立て機が望まれたが、前記の通り、目立て作業は、回転する刃具と砥石とを当接させることによって行われるため、小型の目立て機でこの際の安全性を確保することは困難であった。【０００８】すなわち、作業者が安全に目立て作業を行うことができる小型の目立て機が望まれた。【０００９】本発明は、かかる問題点に鑑みてなされたものであり、上記の問題点を解決する発明を提供することを目的とする。
【課題を解決するための手段】
【００１０】本発明は、上記課題を解決すべく、以下に掲げる構成とした。本発明の目立て機は、刃具を砥石とを摺り合わせることによって前記刃具の目立て作業を行う目立て機であって、回転軸に装着された前記砥石が回転可能に設置されて設けられた筐体と、前記筐体において前記砥石が設置された側を覆うように前記筐体の上側に装着され、前記砥石の一部を露出させるスリットが形成されたカバーと、を具備し、前記回転軸の回転運動を制動する制動機構、又は前記回転軸を回転させる駆動機構を具備することを特徴とする。本発明の目立て機は、前記スリットの長手方向と交差する方向における前記カバーの前記筐体に対する取り付け位置が可変とされたことを特徴とする。本発明の目立て機において、前記スリットの長手方向における一方の側における前記カバーの表面には、保護カバー係止部が設けられたことを特徴とする。本発明の目立て機において、前記保護カバー係止部は凹部を具備することを特徴とする。本発明の目立て機は、前記保護カバー係止部において、前記スリットの長手方向に沿って複数の前記凹部が形成されたことを特徴とする。本発明の目立て機において、前記スリットの長手方向における一方の側における前記カバーには、前記長手方向と垂直な方向における前記スリットの両側の各々において、前記カバーの表面から突出した保護カバー保持部が設けられたことを特徴とする。本発明の目立て機は、２つの前記保護カバー保持部の前記カバーに対する前記長手方向と垂直な方向における取り付け位置が可変とされたことを特徴とする。本発明の目立て機において、前記スリットは、前記カバーにおける前記回転軸と交差する方向の面に形成されたことを特徴とする。本発明の目立て機は、前記筐体又は前記カバーに固定され、前記筐体が地面に設置された際に前記筐体から離間した位置で接地するスタンドを具備することを特徴とする。本発明の目立て機は、前記制動機構を具備し、前記制動機構は、前記回転軸の回転速度の上昇に伴って、前記回転軸の回転運動を、前記筐体に固定されたクラッチドラムに伝達する遠心クラッチを具備することを特徴とする。本発明の目立て機は、前記駆動機構を具備し、前記駆動機構は、モータによって前記回転軸を回転させることを特徴とする。  本発明の目立て機は、前記駆動機構を具備し、前記駆動機構は、外部から回転運動が伝達されると共に前記回転軸に動力を伝達する動力伝達軸を具備することを特徴とする。本発明の目立て機において、前記動力伝達軸と前記回転軸とは平行とされたことを特徴とする。本発明の目立て機は、前記砥石が円板形状とされたことを特徴とする。本発明の目立て機において、前記回転軸は、前記カバーの前記スリットが形成された面と略平行に設置されることを特徴とする。
【発明の効果】
【００１１】本発明は以上のように構成されているので、作業者が安全に目立て作業を行うことができる小型の目立て機を得ることができる。
【図面の簡単な説明】
【００１２】
【図１】本発明の実施の形態となる目立て機の左側面図（ａ）、上面図（ｂ）、右側面図（ｃ）、正面図（ｄ）である。
【図２】本発明の実施の形態となる目立て機の断面図である。
【図３】本発明の実施の形態となる目立て機において用いられる制動機構の構成を示す上面図である。
【図４】標準的なカッターの外観の概略を示す図である。
【図５】本発明の実施の形態となる目立て機を用いた目立て作業の際の形態を示す図（その１）である。
【図６】本発明の実施の形態となる目立て機を用いた目立て作業の際の形態における保護カバー係止部周囲の拡大図である。
【図７】本発明の実施の形態となる目立て機を用いた目立て作業の際の形態を示す図（その２）である。
【図８】本発明の実施の形態となる目立て機を用いた目立て作業の際の保護カバー保持部の状況を示す図である。
【図９】本発明の実施の形態となる目立て機の変形例の上面図（ａ）、断面図（ｂ）、透視図（ｃ）である。
【発明を実施するための形態】
【００１３】本発明の実施の形態となる目立て機の構成について説明する。図１はこの目立て機１の左側面図（ａ）、上面図（ｂ）、右側面図（ｃ）、正面図（ｄ）を示す。なお、この目立て機１においては、スタンド９０が設けられているが、便宜上、上面図（ｂ）においてのみスタンド９０の全体が記載されており、スタンド９０は、両側面図（ａ、ｃ）では一部のみ記載され、正面図（ｄ）では記載は省略されている。ここで、上面図とは、実際にこの目立て機１が設置されて使用される際の鉛直方向上方から見た図を意味するが、左右側面、正面については、便宜上の設定であり、以下では方向をこれに従って記載する。  
【００１４】この目立て機１においては、円板形状の砥石１０が鉛直方向に沿った回転軸１１に装着された構造が、筐体１２に設けられている。砥石１０は消耗品であるために、回転軸１１に脱着が可能なように、砥石固定ナット（図示せず）を用いて回転軸１１に装着される。砥石１０が回転軸１１に装着された状態で、筐体１２には、上側からカバー１３が装着されている。なお、カッター１００に取り付けた刃具１０３を回転させる方向は、図１（ｂ）において矢印で示された方向とされる。なお、回転軸１１（砥石１０）についても、同様に矢印で示された方向で回転される。  
【００１５】図１（ｂ）に示されるように、図におけるカバー１における左側上面には、前後方向に細長いスリット１３１が設けられ、上方から見て、このスリット１３１を通して砥石１０の回転軸１１よりも左側の部分が露出する。また、カバー取り付けネジ１３２がカバー１３に形成されたカバー取り付け穴１３３を貫通した状態で、カバー１３は筐体１２に固定される。この際、カバー取り付け穴１３３は図中左右方向に細長く形成されるため、図中の左右方向におけるカバー１３の筐体１２に対する取り付け位置を調整することが可能である。このため、砥石１０に対するスリット１３１の図１における左右方向（長手方向と交差する方向）における位置を調整することができ、スリット１３１の直下となる砥石１０の領域を調整することができる。
【００１６】また、カバー１３上面におけるスリット１３１の前方側（長手方向における一方の側）には、表面形状が上側に向かって鋸形状とされた保護カバー係止部１４が設けられている。保護カバー係止部１４は鋸形状とされることによって、スリット１３１の長手方向に沿って複数の凹部を具備する。カッターカバー係止部１３の左右には、上側に向かって突出し上下方向及び前後方向に広がる衝立状の保護カバー保持部１５（左側保護カバー保持部１５１、右側保護カバー保持部１５２）が設けられている。  
【００１７】図２は、この目立て機１における、回転軸１１及びカバー取り付けネジ１３２を含む鉛直方向の断面図である。図２においては、主にこの目立て機１の内部機構が示されている。回転軸１１は筐体１２上部のベアリング１６で支持され、筐体１２の上側に突出している。砥石１０は、この上側に突出した回転軸１１に上側から装着され、さらにその上側から砥石固定ナット１１１が装着されることによって、砥石１０は回転軸１１に固定される。また、筐体１２の上側には、カバー取り付けネジ１３２が固定されるカバー固定部１７も上側に突出して設けられている。前記の通り、カバー１３は、筐体１２の上側の図中左右方向における位置は調整が可能とされる。  
【００１８】回転軸１１は、ベアリング１６で支持され、その下側において、制動機構２０に接続される。制動機構２０としては、遠心クラッチ機構が用いられる。図３は、この制動機構２０の構造のみの上面図である。この制動機構２０においては、回転軸１１に遠心クラッチ２１が固定される。遠心クラッチ２１においては、２つのクラッチウェイト２２が、それぞれクラッチウェイト軸２３の回りで回動できるように、回転軸１１の中心の回りで対称に装着されている。２つのクラッチウェイト２２同士は、クラッチスプリング２４で接続された状態で、回転軸１１と同軸とされた円筒形状のクラッチドラム２５の内部に収容されている。クラッチスプリング２４が縮んだ状態では、２つのクラッチウェイト２２は、クラッチドラム２５の内周面とは接さない。また、クラッチドラム２５は、筐体１２に固定、あるいは筐体１２の一部がクラッチドラム２５として加工されている。
【００１９】回転軸１１（砥石１０）が停止している場合には、上記のとおり、クラッチウェイト２２とクラッチドラム２５の内周面とは接さないが、回転軸１１の回転速度が高まると、クラッチウェイト２２に遠心力が働く。この遠心力によって、クラッチスプリング２４の弾性力に逆らって、２つのクラッチウェイト２２がクラッチウェイト軸２３の回りで回動し、広がった状態となる。これにより、クラッチウェイト２２（遠心クラッチ２１）は、クラッチドラム２５の内周面と接する。通常知られる遠心クラッチ機構は、回転動力の伝達のオン・オフの制御に用いられるが、この場合には、クラッチドラム２５は筐体１２に固定されているため、クラッチウェイト２２がクラッチドラム２５の内周面と接することによって、この回転運動は筐体１２に伝達される。このため、筐体１２が固定されていれば、回転軸１１に対する制動作用が発生する。すなわち、回転軸１１が外力によって駆動された際には、回転軸１１は制動機構２０によって自動的に制動（減速される）。ただし、回転軸１１の回転速度が小さくなった場合には、クラッチウェイト２２（遠心クラッチ２１）はクラッチスプリング２４によって閉じた状態となるため、クラッチウェイト２２とクラッチドラム２５は接さなくなる。このため、回転軸１１が駆動された際には、減速はされるが、停止状態となることはない。
【００２０】図１（ｂ）（ｄ）に示されるように、右側保護カバー保持部１５２は、カバー１３の上面側から前面側の表面に沿って形成された右側保護カバー保持部基台１５４に固定される。また、左側保護カバー保持部１５１も、カバー１３の上面側から前面側の表面に沿って、前面側では右側保護カバー保持部基台１５４の下側を通るように形成された左側保護カバー保持部基台１５３に固定される。左側保護カバー保持部基台１５３、右側保護カバー保持部基台１５４は、カバー１３の上面に対して、それぞれ保護カバー保持部基台取り付けネジ１５５で、カバー１３に対する左右方向の取り付け位置が調整可能なように装着されている。  
【００２１】また、図１（ｂ）に示されるように、この目立て機１には、前方に広がったスタンド９０が、筐体１２の左右のスタンド取り付けネジ９１によって装着されている。スタンド９０の前端部は、この目立て機１が地面に接地される際に、筐体１２又はカバー１３から離間した位置で接地するような形状とされる。このため、この目立て機１を使用する際に、作業者がこのスタンド９０の前端部を足で踏むことができ、これによって目立て機１を地面に固定することができる。この目立て機１の携帯時には、作業者がスタンド９０を把持することができる。スタンド９０は、スタンド取り付けネジ９１の回りで上下方向に回動可能とされ、目立て機１の携帯時に全体をコンパクトな形状とすることもできる。なお、スタンド９０をカバー１３に装着してもよい。  
【００２２】次に、この目立て機１を利用して目立て作業を行う際の形態について説明する。この目立て機１においては、例えばダイヤモンドカッターの刃具（刃）が目立てされる。この作業は、ダイヤモンドカッターの刃具を通常使用される場合と同様に回転させ、この刃具を砥石１０に当接させる（摺り合わせる）ことによって行われる。これにより、刃具が目立てされる。
【００２３】図４は、ここで対象となる電動工具としてディスクグラインダとも言われる標準的なカッターの外観の概略を示す図である。このカッター１００においては、本体１０１の先端の駆動軸１０２に固定された円板状の刃具１０３を、本体１０１に内蔵されたモータによって回転させ、この刃具１０３を被切断試料２００と当接させることによって、被切断試料２００の切断が行われる。ここで、広範囲への粉塵の飛散を抑制するために、刃具１０３の周囲における作業者側には、保護カバー１０４が設けられており、刃具１０３が保護カバー１０４で覆われていない箇所で切断作業が行われる。また、刃具１０３の回転方向は図中の矢印で示される方向とされる。
【００２４】図５（ａ）〜（ｃ）は、目立て機１を用いてこの刃具１０３（カッター１００）の目立て作業を行う際の形態を示す図である、これは、図１における右側面図に対応する。図５においては、（ａ）〜（ｃ）は、作業の進行に応じた形態を順次示している。
【００２５】まず、図５（ａ）に示されるように、作業者は、目立て機１を地面Ｇに設置し、スタンド９０を踏みつけた状態で、通常の切断作業を行う場合と同様にカッター１００の刃具１０３を、図１における前方に傾斜させた状態でスリット１３１の箇所に配置する。この際、保護カバー１０４の図における下端部を、保護カバー係止部１４の凹部に係止させることができる。図６は、図５（ａ）における破線箇所を拡大した図である。図６に示されるように、保護カバー１０４の下端部を、カッターカバー係止部１４における鋸形状の谷部となる凹部の一つに保護カバー１０４の下端部を係止させることによって、図５、６における左右方向（図１における前後方向）でカッター１００を固定することができる。  
【００２６】また、保護カバー１０４を図１における保護カバー保持部１５（左側保護カバー保持部１５１、右側保護カバー保持部１５２）で挟み込むことによって、図１における左右方向で保護カバー１０４（カッター１００）を固定することができる。このため、カッター１００は、図１におけるスリット１３１の前方側で目立て機１に支持される。  
【００２７】この状態で、図５（ｂ）、（ｃ）に示されるように、作業者は、刃具１０３の下端部が下側に移動するように、支持された保護カバー１０４の下端部を軸としてカッター１００を下側に回動させることができる。これによって、刃具１０３は下降し、スリット１３１を通して砥石１０に当接し、図５（ｃ）に示されるように、砥石１０を切断することができる。これによって、刃具１０３の目立てが行われる。  
【００２８】目立て作業においては、刃具１０３によって砥石１０が切断される（摺り合わせられる）ことが必要である。このためには、刃具１０３と砥石１０とが接する箇所でこれらの間に速度差が存在することが必要である。このため、例えば回転軸１１が回転自在とされた場合には、目立て作業は困難である。また、この際の刃具１０３と砥石１０との間の回転速度（回転数）差は、１０００ｒｐｍ以上とすることが好ましい。更に、目立ての効率を高めるためには、砥石１０における刃具１０３が接する箇所が特定の箇所に固定されずに移動することが好ましい。すなわち、上記の構成においては、刃具１０３と砥石１０との間に大きな回転速度差があり、かつ砥石１０が回転していることが好ましい。
【００２９】上記の目立て機１においては、目立て機１における回転軸１１（砥石１０）は、砥石１０と刃具１０３とが接することによって、図１における矢印の方向に回転する。ここで、刃具１０３の回転運動は、カッター１００におけるモータによって駆動され、回転軸１１には制動機構２０が装着されている。制動機構２０においてこの回転運動が伝達されるクラッチドラム２５は筐体１２に固定される。筐体１２は地面Ｇに設置され、かつスタンド９０が作業者に踏みつけられることによって、筐体１２は固定されている。このため、制動機構２０が機能して砥石１０は減速され、砥石１０の回転速度は、これと接する刃具１０３の回転速度よりも遅い回転速度とされる。これにより、両者の間には回転速度差が生じ、砥石１０を刃具１０３で切断することができる。また、この際に、制動機構２０によって回転が停止することはないため、砥石１０の回転速度は零となることはない。このため、砥石１０における刃具１０３が接する箇所は円周上で移動し続ける。このため、上記の目立て機１を用いて目立て作業を効率的に行うことができる。
【００３０】前記の通り、目立て機１における上面側の大部分はカバー１３で覆われているため、目立て作業の際の周囲への粉塵の飛散を抑制できる。また、砥石１０の周辺は、スリット１３１の箇所以外では、カバー１３で覆われるため、粉塵が外部に飛散することも抑制される。このため、必要以上にスリット１３１の幅を広げないことが好ましい。
【００３１】しかしながら、この作業時においてカッター１００は、図５における保護カバー１０４の下端部で目立て機１に固定され、この固定された箇所を中心として図１（ｂ：上面図）おける左右方向における小さな角度範囲で可動となる。これに対応して、図１（ｂ）に示されるように、スリット１３１の幅は、前方から後方に向かって広くされている。これにより、上面から見た刃具１０３の角度を微調整して目立て作業を行うことが可能である。この際、スリット１３１の前方側における幅は、狭くしておくことが好ましい。  
【００３２】目立て作業によって、砥石１０は部分的に切断され、目立て作業が繰り返されることによって、砥石１０は外周から切断され、その外径は徐々に小さくなる。砥石１０が小さくなった場合には、スリット１３１の直下に砥石１０が存在しなくなる場合がある。このため、図１において、カバー１３の筐体１２に対する取り付け位置は左右方向で可変となっており、カバー１３の位置を調整し、スリット１３１の直下に砥石１０が存在するようにして、カバー取り付けネジ１３２を用いてカバー１３を固定することができる。もはや目立て作業を行うことができない程度まで砥石１０が小さくなったら、作業者は、カバー１３を取り外し、砥石固定ナット１１１を取り外して砥石１０を交換することができる。この交換作業も容易である。  
【００３３】また、この目立て機１によって、複数の種類のカッター１００の目立て作業を行うことができる。この際には、刃具１０３の外径や厚さが異なる場合があるが、こうした場合において、各々の種類に適合させてこの目立て機１を使用することができる。
【００３４】まず、刃具１０３の外径が図５の例よりも大きくなった場合について説明する。この場合における目立て作業を行う際の形態を、図７（ａ）（ｂ）に示す。図７（ａ）は、図５（ａ）に対応し、図５（ｂ）は図６に対応する。ここでは、刃部１０３の外径に応じて、保護カバー１０４の外径も大きくなっている。この場合においては、図７（ｂ）に示されるように、保護カバー１０４の下端部を、カッターカバー係止部１４における鋸形状の谷部（凹部）のうち、図６の場合よりも図５（ｂ）における左側（図１における前方）の谷部に保護カバー１０４の下端部を係止させている。これによって、前記と同様の作業が可能である。  
【００３５】一般に、カッター１００における刃部１０３の外径は、規格で定まっているために、保護カバー１０４の外径もこれに応じて定まっている。このため、カッターカバー係止部１４における鋸形状を、この規格に応じた複数の凹部が構成されるような構成とすることによって、異なる外径をもつ複数の種類の刃具１０３が用いられる複数の種類のカッター１００に、目立て機１を対応させることが可能である。なお、カッターカバー係止部１４は、鋸状に限られず、例えば左右に設けた保護カバー保持部１５のような突出部により構成されていてもよく、摩擦係数の高い滑り止め部材が貼付されていてもよい。  
【００３６】また、保護カバー１０４の厚さについては、例えば工具メーカの設計思想により異なる。この場合において、上記の目立て機１においては、図８（ａ）（ｂ）にその右側面図を示すように、左側保護カバー保持部基台１５３、右側保護カバー保持部基台１５４の取り付け位置を調整することができる。これによって、左側保護カバー保持部１５１、右側保護カバー保持部１５２の図８における左右方向（における左右方向）の位置を調整することができる。図８（ａ）には薄い保護カバー１０４が用いられた場合、図８（ｂ）には厚い保護カバー１０４が用いられた場合がそれぞれ示されている。
【００３７】すなわち、カッターカバー係止部１４に対する保護カバー１０４の係止位置と、左側保護カバー保持部１５１、右側保護カバー保持部１５２の位置とを調整することによって、複数の種類のカッター１００の目立て作業を、この目立て機１を用いて行うことができる。
【００３８】上記の構成においては、砥石１０と刃具１０３との間に回転速度差を発生させるために、制動機構２０が用いられた。しかしながら、回転速度差を発生させるためには、目立て機側において、能動的に回転軸（砥石）を回転させるための駆動機構を設けてもよい。駆動機構においては、例えば小型のバッテリを電源として動作するモータを用いることができる。この場合、砥石１０の回転方向、回転速度は、適宜設定することができるため、目立て条件の微調整が容易となる。  
【００３９】一方、前記の制動機構２０を用いた場合には、砥石１０の回転速度（砥石１０と刃具１０３の回転速度差）を微調整することは困難であるが、電源が不要であるため、目立て機１を特に小型軽量とすることができる。  
【００４０】ただし、各種の機械工具が使用されている実際の作業現場においては、目立てされるカッター以外の機械工具を駆動源として用いることができ、目立て機自身はモータや電源を具備しない構成とすることもできる。この場合には、駆動機構を用いた場合でも、目立て機自身を軽量とすることができる。  
【００４１】図９は、こうした構成の目立て機２の構成を示す上面図（ａ）、断面図（ｂ）、上面からの透視図（ｃ）である。ここで、断面図（ｂ）においては、使用される際の形態が示されている。ここで、図中の右半分の構成は、制動機構２０がない点、スタンド９０が用いられない点、左右が反転している点を除き、前記の目立て機１と同様である。このため、目立て作業を行う際の形態も、図５に記載されたように行うことが可能である。
【００４２】ここでは、前記の筐体１３の左側に、動力伝達部３０が連結されている。動力伝達部３０においては、動力伝達軸３１がベアリング３２で支持されて上側に突出して設けられている。動力伝達軸３１の上端部の断面形状は６角形状とされ、コードレスドライバ３００のチャック３０１に装着することができ、これによって回転駆動することができる。動力伝達軸３１の下側にはプーリ３３が固定される。
【００４３】筐体１３中において、回転軸１１の下側には、前記の制動機構２０の代わりに、プーリ２６が固定される。プーリ３３とプーリ２６の間には、ベルト３４が架け渡されるため、プーリ２６及び回転軸１１を、動力伝達軸３１の回転に伴って回転させることができる。
【００４４】動力伝達部３０と筐体１３とは、連結部３５、連結スプリング３６によって連結されている。この際、連結スプリング３６が連結に用いられることにより、ベルト３４の張力を適正な状態にして回転軸１１を駆動することができる。
【００４５】この目立て機２においては、動力伝達部３０、プーリ２６等が駆動機構として機能し、動力伝達軸３１に外部から回転運動を伝達し、これを回転軸１１に伝達することができる。このため、作業者は、図９（ｂ）における左側でコードレスドライバ３００を操作し、かつ右側で図５と同様にカッター１００等を支持し、目立て作業を行うことができる。この際の、回転軸１１（砥石１０）の回転条件は、コードレスドライバ３００の操作によって調整することが可能である。  
【００４６】図９に示されるように、この目立て機２においては、前記の制動機構２０の代わりに動力伝達部３０等が用いられるものの、動力伝達機構３０の構造は図９に示されるように極めて単純であり、全体を軽量とすることができる。また、図９の例においては、動力伝達軸３１にコードレスドライバ３００を接続して用いたが、他の電動工具を用いることができることも明らかである。また、動力伝達軸３１あるいはその上端部分を交換可能として、様々な電動工具に対応させることも可能である。あるいは、電動工具以外にも、高圧空気を用いて駆動される工具を用いることもできる  
【００４７】この際、動力伝達軸３１と回転軸１１とを平行とすることによって、プーリ２６、３３、ベルト３４を用いた単純な構成で回転軸１１を駆動することができる。この際、動力伝達軸３１を上側に突出させることにより、図９（ｂ）の形態でこれを駆動することが特に容易となる。  
【００４８】ただし、制動機構、駆動機構として、上記の構成以外のものを用いることもできる。
【００４９】図９の例のように、目立て機（筐体）を確実に地面等に固定することができる限りにおいて、スタンドは不要である。また、目立て作業の際にカッターを目立て機に対して固定できる限りにおいて、保護カバー保持部の位置が可変である必要はなく、保護カバー係止部に凹部が複数設けられている必要も無い。更に、カッターを固定するためにこれらとは異なる構成を用いることもできる。  
【００５０】また、筐体に対するカバーの取り付け位置（砥石に対するスリットの位置）も、必ずしも可変である必要はない。  
【００５１】更に、上記の例では、水平面に設けられた砥石１０に対して、これと垂直な方向から刃具１０３を当接させ、目立て作業が行われた。しかしながら、目立てされる刃具の形状等に応じ、砥石に対して刃具が当接する方向は、適宜設定が可能である。例えば、水平面内で回転する砥石に対して、水平方向外側から刃具を当接させて目立て作業を行うことが好ましい場合もある。前記の目立て機１においては、スリット１３１はカバー１３の上面（回転軸１１と垂直な面）に形成されたが、この場合には、カバーの側面（回転軸と平行な面）にスリットを形成することが好ましい。また、これに応じて、砥石の形状も適宜設定が可能であり、この場合でも同様に回転軸に対して装着可能であれば、同様に用いることができる。
【００５２】このように、カバーにおけるスリットを形成する面あるいはスリットの形成位置は、適宜設定することが可能である。あるいは、筐体１２及びその内部の構成は上記のとおりとし、スリットの形成位置が異なる複数種類のカバーを適宜選択して用いることも可能である。このため、上記の例では図４に示された構成のカッターにおける目立て作業を行う場合について記載したが、様々な形状の刃具が用いられる工具に対して、本発明の目立て機を用いて目立て作業を行うことが可能である。
【符号の説明】
【００５３】１、２  目立て機１０  砥石１１  回転軸１２  筐体１３  カバー１４  保護カバー係止部１５  保護カバー保持部１６、３２  ベアリング１７  カバー固定部２０  制動機構２１  遠心クラッチ（制動機構）２２  クラッチウェイト（遠心クラッチ）２３  クラッチウェイト軸（遠心クラッチ）２４  クラッチスプリング（遠心クラッチ）２５  クラッチドラム（制動機構）２６、３３  プーリ（駆動機構）３０  動力伝達部（駆動機構）３１  動力伝達軸３４  ベルト３５  連結部３６  連結スプリング９０  スタンド９１  スタンド取り付けネジ１００  カッター１０１  本体１０２  駆動軸１０３  刃具１１１  砥石固定ナット１３１  スリット１３２  カバー取り付けネジ１３３  カバー取り付け穴１０４  保護カバー１５１  左側保護カバー保持部１５２  右側保護カバー保持部１５３  左側保護カバー保持部基台１５４  右側保護カバー保持部基台１５５  保護カバー保持部基台取り付けネジ２００  被切断試料３００  コードレスドライバ３０１  チャック
【図１】
2015083647.tif 000003
【図２】
2015083647.tif 000004
【図３】
2015083647.tif 000005
【図４】
2015083647.tif 000006
【図５】
2015083647.tif 000007
【図６】
2015083647.tif 000008
【図７】
2015083647.tif 000009
【図８】
2015083647.tif 000010
【図９】
2015083647.tif 000011
【国際調査報告】
2015083647.tif 000012
2015083647.tif 000013
2015083647.tif 000014
2015083647.tif 000015